(57)【要約】【課題】ブラケットのタンクに対する脱着に際し、背負バンドの下部連結部の脱着の必要をなくし、作業性を向上する。【解決手段】背負バンド３の下部連結部６を連結し支持する第１の支持部１７を、ブラケット１０ではなくタンク８の下部に設け、例えばメンテナンス等においてブラケット１０をタンク８に対して脱着する際に、背負バンド３の下部連結部６の脱着を不要とする。また、ブラケット１０をタンク８に取り付けた状態で、ブラケット１０に設けた第２の支持部２３により、背負バンド３の下部連結部６を下から支持し、当該下部連結部６の下方への動きを制限することによって、作業機本体部１を接地する際に、下部連結部６や背負バンド３の下部を作業機本体部１の下に挟まり難くする。また、このように、第１の支持部１７をタンク８側に、第２の支持部２３をブラケット１０側に形成し、製作を容易とする。【選択図】図１
2018078846.tif 000002
【特許請求の範囲】
【請求項１】
液体状又は粉末状の薬剤を収容したタンク（８）、及び、前記タンク（８）の下部で作業者に背負われる側とは反対側の部分を覆い前記タンク（８）に着脱可能に取り付けられるブラケット（１０）を備えた作業機本体部（１）と、前記作業機本体部（１）を作業者が背負うための左右一対の背負バンド（３）と、を備え、前記タンク（８）上部に設けられた上側バンド取付部（５）に、前記背負バンド（３）の上部連結部（４）が連結され支持されると共に、前記作業機本体部（１）の下部に設けられた左右一対の下側バンド取付部（７）に、前記背負バンド（３）の下部連結部（６）がそれぞれ連結され支持された背負式作業機（１００）であって、
前記下側バンド取付部（７）は、
前記タンク（８）の下部に設けられ、前記背負バンド（３）の前記下部連結部（６）を連結し支持する第１の支持部（１７）と、
前記ブラケット（１０）に設けられ、前記第１の支持部（１７）に連結され支持された前記下部連結部（６）を下から支持する第２の支持部（２３）と、を有することを特徴とする背負式作業機（１００）。
【請求項２】
前記第２の支持部（２３）は、前記第１の支持部（１７）の下面（２６）に当接するように交差していることを特徴とする請求項１記載の背負式作業機（１００）。
【発明の詳細な説明】
【技術分野】
【０００１】
本発明は、背負式作業機に関する。
【背景技術】
【０００２】
従来、薬液を収容したタンク及び動力源を含む作業機本体部を、作業者が背負バンドにより背負って作業を行う背負式作業機として、以下の特許文献１のものが知られている。この特許文献１に記載の背負式作業機にあっては、タンクの下部で作業者に背負われる側とは反対側の部分に、動力源が取り付けられ、この動力源を外側から覆うブラケットが、タンクの下部に着脱可能に取り付けられる。左右一対の背負バンドの上側の端部は、タンク上端部に設けられた左右一対の上側バンド取付部にそれぞれ着脱自在に連結されると共に、左右一対の背負バンドの下側の端部は、ブラケットの側面部に設けられた左右一対の下側バンド取付部にそれぞれ着脱自在に連結される。
【先行技術文献】
【特許文献】
【０００３】
【特許文献１】特開２０１４−１１７６７４号公報
【発明の概要】
【発明が解決しようとする課題】
【０００４】
ここで、ブラケット内の例えば動力源等のメンテナンスを行う際には、ブラケットをタンクに対して取り外し／取り付ける脱着を行うが、この際、毎回背負バンドの下側の端部の脱着作業が必要となり、作業が面倒で改善が求められている。
【０００５】
本発明は、このような問題点を解決するためになされたものであり、ブラケットの脱着に際し、背負バンドの下側の端部の脱着作業が必要なく、作業性を向上できる背負式作業機を提供することを目的とする。
【課題を解決するための手段】
【０００６】
本発明による背負式作業機（１００）は、液体状又は粉末状の薬剤を収容したタンク（８）、及び、タンク（８）の下部で作業者に背負われる側とは反対側の部分を覆いタンク（８）に着脱可能に取り付けられるブラケット（１０）を備えた作業機本体部（１）と、作業機本体部（１）を作業者が背負うための左右一対の背負バンド（３）と、を備え、タンク（８）上部に設けられた上側バンド取付部（５）に、背負バンド（３）の上部連結部（４）が連結され支持されると共に、作業機本体部（１）の下部に設けられた左右一対の下側バンド取付部（７）に、背負バンド（３）の下部連結部（６）がそれぞれ連結され支持された背負式作業機（１００）であって、下側バンド取付部（７）は、タンク（８）の下部に設けられ、背負バンド（３）の下部連結部（６）を連結し支持する第１の支持部（１７）と、ブラケット（１０）に設けられ、第１の支持部（１７）に連結され支持された下部連結部（６）を下から支持する第２の支持部（２３）と、を有することを特徴としている。
【０００７】
このような背負式作業機（１００）によれば、背負バンド（３）の下部連結部（６）を連結し支持する第１の支持部（１７）が、ブラケット（１０）ではなくタンク（８）の下部に設けられるため、例えばメンテナンス等においてブラケット（１０）をタンク（８）に対して脱着する際に、背負バンド（３）の下部連結部（６）の脱着の必要がなく、作業性を向上できる。また、ブラケット（１０）をタンク（８）に取り付けた状態では、ブラケット（１０）に設けられた第２の支持部（２３）により、背負バンド（３）の下部連結部（６）が下から支持されるため、下部連結部（６）の下方への動きが制限され、その結果、作業機本体部（１）を接地する際に、下部連結部（６）や背負バンド（３）の下部が作業機本体部（１）の下に挟まり難くなる。また、このように、第１の支持部（１７）をタンク（８）側に、第２の支持部（２３）をブラケット（１０）側に形成しているため、製作も容易となる。
【０００８】
ここで、第２の支持部（２３）は、第１の支持部（１７）の下面に当接するように交差していると、ブラケット（１０）をタンク（８）に取り付ける際に、ブラケット（１０）の上下方向の位置決めを容易に行うことができる。
【発明の効果】
【０００９】
このように本発明の背負式作業機によれば、ブラケットのタンクに対する脱着に際し、背負バンドの下部連結部の脱着の必要がなく、作業性を向上できる背負式作業機を提供できる。
【図面の簡単な説明】
【００１０】
【図１】本発明の実施形態に係る背負式作業機の斜視図である。
【図２】図１中の作業機本体部を後方から見た図である。
【図３】図２に示す作業機本体部の要部を拡大して示す斜視図である。
【図４】図１中の要部の拡大図であり、下側バンド取付部に背負バンドの下部連結部が連結され支持された状態を示す斜視図である。
【図５】図４に示す状態からブラケットをタンクから取り外した状態を示す斜視図である。
【発明を実施するための形態】
【００１１】
以下、本発明に係る背負式作業機の好適な実施形態について添付図面を参照しながら説明する。なお、以下の説明において、上下、前後、左右の語は、背負式作業機を背負った作業者を基準とした方向を表すものとし、作業者にとり前方を「前」と定める。
する。
【００１２】
図１は、本発明の実施形態に係る背負式作業機の斜視図、図２は、図１中の作業機本体部を後方から見た図、図３は、作業機本体部の要部を拡大して示す斜視図、図４は、図１中の要部の拡大図であって下側バンド取付部に背負バンドの下部連結部が連結され支持された状態を示す斜視図、図５は、図４に示す状態からブラケットをタンクから取り外した状態を示す斜視図であり、本実施形態にあっては、背負式作業機を、液体状の薬剤（薬液）を噴霧するための背負式動力噴霧機として説明する。
【００１３】
図１に示すように、背負式動力噴霧機１００は、作業者に背負われる作業機本体部１と、作業機本体部１に取り付けられ、作業機本体部１と作業者の背中との間に介在しクッション性を有する背当部材２と、作業機本体部１を作業者が背負うための左右一対の背負バンド３と、を具備する。背負バンド３は、その上部連結部４が、作業機本体部１の上部の上側バンド取付部５に連結され支持されると共に、その下部連結部６が、作業機本体部１の下部の下側バンド取付部７に連結され支持され、作業機本体部１と背負バンド３との間に作業者が両肩を通ことにより作業機本体部１を背負うことが可能となっている。
【００１４】
作業機本体部１は、内部に薬液を収容し、下部が前方（図１の右側；作業者が背負う側）へ凹む形状のタンク８と、図５に示すように、タンク８の凹部９を三方（後方、下方及び両側方）から覆う形状のブラケット１０と、タンク８の凹部９を形成する凹面に固定された動力源としてのモータ１１及びポンプ１２と、を備える。なお、図面において、タンク８から送り出された薬液を作業者の手元まで伝送する噴霧ホース、噴霧ホースの端部に設けられた噴霧ノズルは取り外されて描かれていない。
【００１５】
タンク８は、図１に示すように、その前面の上部に、前方に突出し左右方向に延びる上側バンド取付部５を左右一対備える。上側バンド取付部５，５は、タンク８と一体成形される。
【００１６】
タンク８は、図１、図３及び図５に示すように、その下部の両側面において上下方向に離間して設けられ、凹みが前方から後方へ向かって延伸する上側凹部（凹溝）１３、下側凹部（凹溝）１４をそれぞれ備える。上側凹部１３及び下側凹部１４は、前方から後方へ向かって凹みの度合いが徐々に深くなっている。
【００１７】
上側凹部１３の後端部には、当該上側凹部１３を閉じるように鉛直方向及び側方へ延びる板状の取付部１５が設けられ、この取付部１５に、前後方向に貫通するボルト孔１６が、ブラケット１０を取り付けるためのものとして形成される。
【００１８】
また、下側凹部１４の後端部には、当該下側凹部１４を閉じるように鉛直方向及び側方へ延びる板状の第１の支持部１７が設けられる。この第１の支持部１７には、前後方向に貫通する貫通孔１８が、背負バンド３の下部連結部６を連結し支持するためのものとして形成される。
【００１９】
ブラケット１０は、両側面に、タンク８の上側凹部１３及び下側凹部１４を左右対称にした如き形状の上側凹部１９及び下側凹部２０をそれぞれ備える。上側凹部１９及び下側凹部２０は、後方から前方へ向かって凹みの度合いが徐々に深くなっており、上側凹部１９の先端部には、当該上側凹部１９を閉じるように鉛直方向及び側方へ延びる板状の取付部２１が設けられ、この取付部２１に、前後方向に貫通するボルト孔２２が、タンク８に取り付けられるためのものとして形成される。
【００２０】
一方、下側凹部２０の先端は前方へ開放されており、この下側凹部２０下縁には、後方から前方へ向かって水平に延びると共に側方へ突出する板状の第２の支持部２３が連設される。この第２の支持部２３は、背負バンド３の下部連結部６を下から支持するためのものであり、図５に示すように、下側凹部２０の先端に対応する位置からさらに前方へ延び第２の支持部２３の先端部２４が形成されている。
【００２１】
そして、図３に示すように、タンク８の取付部１５とブラケット１０の取付部２１とが突き当てられ、取付部１５のボルト孔１６（図５参照）と取付部２１のボルト孔２２（図５参照）にボルト２５が通され、取付部１５，２１同士がボルト結合されることにより、図１〜図３に示すように、ブラケット１０がタンク８に着脱自在に取り付けられる。なお、図２に示すように、ブラケット１０はタンク８の底部に対してもボルト２５により結合されている。
【００２２】
この状態で、図３に示すように、第２の支持部２３は、その先端部２４が第１の支持部１７の下面２６に当接するように交差しさらに前方へ延びる構成となっている。そして、タンク８の第１の支持部１７と、ブラケット１０の第２の支持部２３により、背負バンド３の下部連結部６を連結し支持するための下側バンド取付部７が構成されている（図１参照）。
【００２３】
図１に示すように、背負バンド３は、帯状のクッション材を含むパッド部３０と、パッド部３０の上面において当該パッド部３０の長手方向に沿うように設けられた長尺なバンド部３１と、を備える。パッド部３０は、作業者の肩当て及び胸当てとなるもので、バンド部３１は、パッド部３０より幅狭で厚みが薄く形成され、上部バンド部３２、中間バンド部３３、下部バンド部３４を一体に備えるものである。中間バンド部３３は、パッド部３０の上面に固定され、上部バンド部３２は、パッド部３０の上部から離れるようにして中間バンド部３３の上部から続けて上方へ延出し、下部バンド部３４は、パッド部３０の下部から離れるようにして中間バンド部３３の下部から続けて下方へ延出している。下部バンド部３４の途中には、長さ調整具（カンとも呼ばれる）３５が介在しており、下部バンド部３４の長さ調節が可能となっている。
【００２４】
上部バンド部３２の上部には、上部連結部４が設けられる。上部連結部４は、ここでは、連結金具であり、平面視略三角形状を成すように金具を折り曲げた形状を呈する。そして、上部バンド部３２の上部が連結金具４を巻くように折り返され縫い合わされることにより、連結金具４が上部バンド部３２の上部に対して回動可能に連結される。そして、連結金具４の折り曲げられて形成された端部のそれぞれが、上側バンド取付部５，５に各々連結され支持される。連結金具４は、上側バンド取付部５，５に対して二色成形されていても良く、上側バンド取付部５，５に対して端部を挿入し固定する構成であっても良い。
【００２５】
そして、背負バンド３の連結金具４が、タンク８の上側バンド取付部５に連結され支持された状態で、背負バンド３のパッド部３０の上端部は、タンク８の前面で上側バンド取付部５，５より下方位置に接触し（当接し）、パッド部３０の上部が上方へ膨らむように湾曲した状態となっている。
【００２６】
下部バンド部３４の下部には、下部連結部６が設けられる。下部連結部６は、図１及び図４に示すように、下部バンド部３４の下部が折り返され縫い合わされた部分に一端が巻き付くように取り付けられた三角形状の連結金具３６と、この連結金具３６に連結されたナスカン３７と、備える。
【００２７】
ナスカン３７は、フック部３８と、このフック部３８の先端部と基端側との間に形成された開口を開閉自在に閉塞する板バネ３９と、を備えている。そして、板バネ３９を、その付勢力に抗して内側に押し込むことにより、フック部３８の先端部と基端側との間を開口させ、フック部３８を第１の支持部１７の貫通孔１８に通し、板バネ３９がその付勢力により元の位置に戻り上記開口を閉塞することによって、下部連結部６を構成するナスカン３７が第１の支持部１７に連結され支持される。この状態で、下部連結部６を構成するフック部３８は、ブラケット１０の第２の支持部２３上に載置され、下方への動作が制限されている。
【００２８】
このような構成の背負式動力噴霧機１００によれば、背負バンド３の下部連結部６を連結し支持する第１の支持部１７が、ブラケット１０ではなくタンク８の下部に設けられるため、図５に示すように、例えばメンテナンス等において、タンク８の取付部１５、ブラケット１０の取付部２１のボルト結合を解除し、ブラケット１０をタンク８に対して脱着する際に、背負バンド３の下部連結部６の脱着の必要がなく（ナスカン３７を第１の支持部１７に対して取り外し／取り付ける必要がなく）、作業性を向上できる。また、ブラケット１０をタンク８に取り付けた状態では、ブラケット１０の第２の支持部２３により、背負バンド３の下部連結部６を構成するフック部３８が下から支持されるため、フック部３８の下方への動きが制限され、その結果、作業機本体部１を接地する際に、下部連結部６や背負バンド３の下部バンド部３４が作業機本体部１の下に挟まり難くなる。また、このように、第１の支持部１７をタンク８側に、第２の支持部２３をブラケット１０側に形成しているため、製作も容易となる。
【００２９】
また、図３に示すように、ブラケット１０の第２の支持部２３の先端部２４が、タンク８の第１の支持部１７の下面２６に当接するように交差しているため、ブラケット１０をタンク８に取り付ける際に、ブラケット１０の上下方向の位置決めを容易に行うことができる。
【００３０】
また、取付部１５，２１は、上側凹部１３，１９の最も凹んでいる部分に設けられ、第１の支持部１７は、下側凹部１４の最も凹んでいる部分に設けられているため、作業機本体部１の側方への突出が抑えられており、邪魔にならないようになっている。
【００３１】
以上、本発明をその実施形態に基づき具体的に説明したが、本発明は上記実施形態に限定されるものではなく、例えば、上記実施形態においては、ブラケット１０をタンク８に取り付ける際に、ブラケット１０の上下方向の位置決めを容易に行うことができるとして、ブラケット１０の第２の支持部２３を、第１の支持部１７の下面２６に当接するように交差させているが、交差していなくても良く、第２の支持部２３の先端部と第１の支持部１７の下端部がＬ字状に直交するような構成であっても良く、要は、第２の支持部２３は、第１の支持部１７に連結された背負バンド３の下部連結部６を下から支持できれば良い。
【００３２】
また、上記実施形態においては、第１の支持部１７は鉛直方向に延び、第２の支持部２３は水平方向に延びているが、これに限定されず、傾斜していても良い。
【００３３】
また、上部バンド部３２のタンク８に対する連結構造は、上記実施形態のものに限定されるものではなく、例えば本出願人が先に出願した特開２００７−３８０６６号記載の背負式作業機のような構成、具体的には、タンクの前面且つ上面に左右一対の凹部を形成し、当該凹部の左右の側面間にバーを架設し、バンド部の端部を折り返して形成された筒部を、バーと凹部の底面との間の隙間に挿入させ、筒部にピンを挿入することにより、上部バンド部３２をタンク８の上部に連結する連結構造であっても良い。
【００３４】
また、上記実施形態においては、背負バンド３のバンド部３１は、上部バンド部３２と下部バンド部３４が中間バンド部３３を介して繋がる構成になっているが、中間バンド部３３がなく、上部バンド部３２の下部がパッド部３０の上部に固定され、下部バンド部３４の上部がパッド部３０の下部に固定される構成であっても良い。また、背負バンドは、本出願人が先に出願した特開２０１４−３０４０４号記載のように、バンド幅が上端部から下端部まで一定幅の背負バンドであっても良い。
【００３５】
また、上記実施形態においては、背負式作業機を、タンク８の液体状の薬剤を噴霧する背負式動力噴霧機１００としているが、粉末状の薬剤を散布する背負式動力散布機に対しても適用可能であり、要は、作業機本体部１が、タンク８及びタンク８に着脱可能に取り付けられるブラケット１０を備え、作業機本体部１を背負う左右一対の背負バンド３を有する背負式作業機全般に対して適用できる。
【符号の説明】
【００３６】
１…作業機本体部、３…背負バンド、４…上部連結部、５…上側バンド取付部、６…下部連結部、７…下側バンド取付部、８…タンク、１０…ブラケット、１７…第１の支持部、２３…第２の支持部、２６…下面、１００…背負式動力噴霧機（背負式作業機）。
【図１】
2018078846.tif 000003
【図２】
2018078846.tif 000004
【図３】
2018078846.tif 000005
【図４】
2018078846.tif 000006
【図５】
2018078846.tif 000007